(57)【特許請求の範囲】
【請求項１】
記憶手段と、光ディスクプレーヤと、中央制御部と、音響出力手段と、映像出力手段と、操作入力手段とを備えたカラオケ装置であって、
記憶手段は、楽曲ごとのカラオケデータを格納するとともに、背景映像データを格納し、
カラオケデータは、伴奏音楽データと、歌詞画像データを含み、
光ディスクプレーヤは、利用者の操作によって光ディスクを着脱自在なディスク装着部と、当該装着部に装着されている光ディスクからデータを読み出すディスク駆動部と、当該駆動部の読み出し出力を処理して音声信号と映像信号を再生するデコード部を備え、
中央制御部は、カラオケモードにおいて、操作入力手段により指定されたリクエスト曲の伴奏音楽データに基づいて伴奏音楽を音響出力するとともに、当該リクエスト曲の歌詞画像データに基づく歌詞画像を背景映像とともに映像出力し、
中央制御部は、ディスク装着部に光ディスクが装着された際、カラオケモードを休止するとともに、第１〜第４処理を行い、
第１処理は、装着された光ディスクからＴＯＣを読み出し、
第２処理は、読み出したＴＯＣに記述された各トラックごとの収録時間を含む目次画面データを生成して映像出力するとともに、表示された目次画面上の各トラックの中から利用者が再生希望トラックを指定する操作入力を受け付け、
第３処理は、指定された再生希望トラックの収録時間に基づいて利用料金を算出し、当該利用料金を表示中の目次画面上に付加表示し、
第４処理は、再生開始を指示する操作入力に応答し、指定された再生希望トラックを再生して映像音響出力する
カラオケ装置。
【発明の詳細な説明】
【０００１】
【発明の属する技術分野】
本発明はカラオケ装置に関し、とくに、カラオケ施設をカラオケ以外の用途に活用できるカラオケ装置に関する。
【０００２】
【従来の技術】
図１に従来のカラオケ装置における一例を構成図として示した。本体部１はＣＰＵ、ＲＡＭ、ＲＯＭを含んだ中央制御部２を含んでこのカラオケ装置を制御・統括するとともに、カラオケ楽曲の伴奏音楽や歌詞画像の生成起源となるカラオケデータを処理してカラオケ伴奏音楽と歌詞画像とを生成する。ミキシングアンプ２０は、本体部１から出力される伴奏音楽の音声信号とマイクロホン３０からの歌唱音声信号とを入力し、これを混合・増幅してスピーカ３１に音響出力する。また、利用者の操作入力に応じて、伴奏音楽やマイクロホン３０からの音声信号にエコーなどの音響効果を適宜に付加してその音声信号を出力する動作も行う。
【０００３】
ＤＶＤ（Digital Versatile Disk）チェンジャ・プレーヤ４０は、多数のＤＶＤを収容し、各ＤＶＤには歌詞画像がスーパーインポーズされる長時間分の動画データが記録されている。そして、本体部１の制御に従って、適宜なＤＶＤを内蔵するＤＶＤ駆動装置（プレーヤ）にて駆動して記録されている動画データの映像信号を再生する。この内部プレーヤが駆動するＤＶＤは主にＭＰＥＧ２規格の映像データあるいは映像データと音声データ（以下、ＡＶコンテンツ）が記録されたＤＶＤ−Ｖｉｄｅｏである。したがって、内部プレーヤはＭＰＥＧ２デコーダを備えたＤＶＤ−Ｖｉｄｅｏプレーヤということになる。なお、この例におけるＤＶＤチェンジャ・プレーヤ４０は２系統の内部プレーヤを備え、これら２系統の内部プレーヤが交互にＤＶＤを交換しながら駆動していくことで再生映像の出力が途切れないようにもなっている。
【０００４】
さらに、このＤＶＤチェンジャ・プレーヤ４０には、外部から供給される１枚のＤＶＤを駆動する外部プレーヤを１系統備えている。この外部プレーヤはＭＰＥＧ２デコーダを付帯しないＤＶＤ−ＲＯＭ読取装置である。したがって、外部から供給できるＤＶＤはデータ格納用のＤＶＤ−ＲＯＭということになる。
【０００５】
本体部１のハードディスク装置３は、多数曲分のカラオケデータや中央制御部２が実行する各種プログラムなどを格納している。カラオケデータは、ＭＩＤＩ規格の音楽生成データと、この音楽生成データとの同期データを含んで歌詞画像の生成起源となる歌詞描出データとから構成されている。なおカラオケデータは前記外部プレーヤに装着されるＤＶＤ−ＲＯＭにも格納されている。
【０００６】
中央制御部２は、リモコン受信部４に入力されるリモコン送信器５からの赤外線信号や本体部１に配設されている操作パネル６から入力されるキー操作信号が含む指定楽曲番号（楽曲ＩＤ）を操作制御部７を介して受け取ると、内部のＲＡＭに楽曲ＩＤとその入力順とを対応付けして格納する。それによって、利用者が指定したカラオケ楽曲が演奏予約登録される。そして、その予約登録順に従って該当のカラオケデータをハードディスク装置３や外部プレーヤに装着されているＤＶＤ−ＲＯＭより読み出して処理していく。
【０００７】
中央制御部２は読み出したカラオケデータ中の音楽生成データをシンセサイザ８に順次転送する。シンセサイザ８は音楽生成データに記述された各パート（楽器）を内蔵音源によって再現し、伴奏音楽の音声信号として出力する。この伴奏音楽の音声信号がマイクロホン３０からの歌唱音声信号とともにミキシングアンプ２０に入力される。
【０００８】
中央制御部２は上記伴奏音楽の生成処理に同期して歌詞描出データを処理し、歌詞画像のビットマップデータをビデオＲＡＭ９に逐次更新しながら展開していく。その一方で、Ｉ／Ｏインタフェース部１０を介してＤＶＤチェンジャ・プレーヤ４０に制御信号を送出する。ＤＶＤチェンジャ・プレーヤ４０は所定の制御信号に基づいて指定のＤＶＤを指定の内部プレーヤにて駆動し、所定のＡＶコンテンツの映像信号を再生・出力する。ＤＶＤチェンジャ・プレーヤ４０が再生・出力する映像信号は本体部１の映像制御部１１に入力される。映像制御部１１はビデオＲＡＭ９にビットマップ展開された歌詞画像を映像信号にスーパーインポーズしてその映像信号をディスプレイ３２に出力する。
【０００９】
なお、ＤＶＤチェンジャ・プレーヤ４０に収容されているＤＶＤ−Ｖｉｄｅｏにはカラオケ伴奏音楽とムード映像と歌詞画像とがそれぞれ音声データと映像データとサブピクチャ（字幕）データとして多重記録された「カラオケソフト」も存在する。利用者が指定したカラオケ楽曲によってはこのカラオケソフトをそのまま再生した映像・音声信号がスピーカ３１とディスプレイ３２に出力される場合もある。
【００１０】
【発明が解決しようとする課題】
ところで、カラオケボックスなどのカラオケ施設において、カラオケ装置が設置される客室（カラオケルーム）には防音対策が施されている。そして、カラオケ装置のミキシングアンプやスピーカは大音響に対応している。このように、カラオケ施設は一般家庭の住宅環境とは異なり、外部に騒音が漏れることを気にすることなく、大音量で伴奏音楽や歌唱音声をスピーカから音響出力することができる。カラオケ施設を利用する人は、その優れた音響設備があるからこそカラオケ施設を利用しているとも言える。
【００１１】
しかし、カラオケ施設における防音設備や高性能なオーディオ機器もカラオケをしない人にとっては無用のものである。過当競争気味にある現在のカラオケ業界にあっては、カラオケ施設をカラオケ用途だけで運営していては大きな収益増が見込めない。
【００１２】
ここで、カラオケ施設の音響設備とともにカラオケルームに設置されているディスプレイにも注目すると、ディスプレイはカラオケルーム内のどこからでも見えるように大画面のものが用意されている場合が多いことに気づく。すなわち、カラオケ施設は、大音響に対応するオーディオ機器と大画面の映像出力機器とを備えて、極めて優れたＡＶ（オーディオ・ビジュアル）環境を提供していることになる。そこで、このＡＶ環境をカラオケ以外の用途に活用できないものかと考えた。
【００１３】
したがって本発明の目的は、カラオケ施設の防音設備やオーディオ機器を活用してカラオケ以外の用途にも利用できるカラオケ装置を提供することにある。
【００１４】
【課題を解決するための手段】
この発明に係るカラオケ装置は、便宜的に分説すると、つぎの事項（１）〜（10）により特定されるものである。
（１）記憶手段と、光ディスクプレーヤと、中央制御部と、音響出力手段と、映像出力手段と、操作入力手段とを備えたカラオケ装置であること
（２）記憶手段は、楽曲ごとのカラオケデータを格納するとともに、背景映像データを格納すること
（３）カラオケデータは、伴奏音楽データと、歌詞画像データを含むこと
（４）光ディスクプレーヤは、利用者の操作によって光ディスクを着脱自在なディスク装着部と、当該装着部に装着されている光ディスクからデータを読み出すディスク駆動部と、当該駆動部の読み出し出力を処理して音声信号と映像信号を再生するデコード部を備えること
（５）中央制御部は、カラオケモードにおいて、操作入力手段により指定されたリクエスト曲の伴奏音楽データに基づいて伴奏音楽を音響出力するとともに、当該リクエスト曲の歌詞画像データに基づく歌詞画像を背景映像とともに映像出力すること
（６）中央制御部は、ディスク装着部に光ディスクが装着された際、カラオケモードを休止するとともに、第１〜第４処理を行うこと
（７）第１処理は、装着された光ディスクからＴＯＣを読み出すこと
（８）第２処理は、読み出したＴＯＣに記述された各トラックごとの収録時間を含む目次画面データを生成して映像出力するとともに、表示された目次画面上の各トラックの中から利用者が再生希望トラックを指定する操作入力を受け付けること
（９）第３処理は、指定された再生希望トラックの収録時間に基づいて利用料金を算出し、当該利用料金を表示中の目次画面上に付加表示すること
（10）第４処理は、再生開始を指示する操作入力に応答し、指定された再生希望トラックを再生して映像音響出力すること
【００１８】
【発明の実施の形態】
＝＝＝カラオケシステム＝＝＝
本発明のカラオケ装置における実施例は、従来例として図１に示したカラオケ装置の構成を基本としている。しかし、本発明のカラオケ装置は、利用者が用意したＤＶＤ−ＶｉｄｅｏやビデオＣＤあるいはＣＤ−ＤＡ（CD-Digital Audio：音楽ＣＤ）など、ＡＶコンテンツ（あるいはオーディオコンテンツ）が収録されたパッケージソフトをカラオケルーム内で鑑賞するための「シアター機能」を備えることに特徴がある。
【００１９】
＝＝＝シアター機能に対する要件＝＝＝
本発明はカラオケボックスなど有料のカラオケ施設をパッケージソフトの鑑賞用として提供できるカラオケ装置を達成することを目的としている。すなわち、利用者はカラオケ楽曲の演奏とＡＶコンテンツの鑑賞とが混在した状況の中でカラオケ装置を使用することになる。そこで、本発明のカラオケ装置は、コンテンツの鑑賞に適した映像・音響環境と快適な操作環境に加え、明瞭な料金提示も行える機能を備えていることが必要となる。本発明の実施例におけるカラオケ装置は、そのための工夫がハードウエアとソフトウエアの両側面から種々凝らされている。
【００２０】
＝＝＝ハードウエア＝＝＝
図２は本実施例のＤＶＤチェンジャ・プレーヤ４０を主体としたハードウエア構成図であり、この図に従って、シアター機能におけるハードウエアの動作を説明する。
【００２１】
＜ＤＶＤチェンジャ・プレーヤ＞
シアター機能をカラオケ装置単体で実現するためには、まず、利用者が用意したＤＶＤやＣＤ（利用者ディスク）をＤＶＤチェンジャ・プレーヤ４０で駆動させることが望ましい。外部プレーヤ４１にＭＰＥＧ２デコーダを付加することも可能であるが、この外部プレーヤ４１が駆動するＤＶＤ４３ａは、ハードディスク装置３に未格納分のカラオケデータや、バックコーラス用のＡＤＰＣＭ音声データなど、通常のカラオケ利用において頻繁に使用されるデータを格納しておく必要がある。そこで、本実施例におけるＤＶＤチェンジャ・プレーヤ４０は、外部から供給されたディスクをＭＰＥＧ２デコーダを搭載した内部プレーヤ（４５、４６）に装着できる機構を採用している。
【００２２】
ＤＶＤ収納部４２は、ムード映像やカラオケソフトとして用意されたＤＶＤ−Ｖｉｄｅｏ４３ｂを１００枚収容している。個々のＤＶＤ４３ｂはトレイに個別に装着されており、搬送装置４４は適宜なトレイに装着されているＤＶＤ４３ｂを取り出して搬送先の内部プレーヤ（４５、４６）に装填する適宜な機構を備えている。また、ＤＶＤチェンジャ・プレーヤ４０の筐体には利用者ディスク４３ｃを外部から装着するためのディスクスロット４７が配設されている。また、一方の系統の内部プレーヤ４６は、このスロット４７に装着されたディスク４３ｃを一時的に収納するための待避用トレイ４８を備えている。この待避トレイ４８は、内部プレーヤ４６がカラオケ楽曲の演奏処理中に常時稼働しているため、利用者ディスク４３ｃの装着によってその稼働状態が中断されないように設けられている。
【００２３】
ＤＶＤ制御部４９は、本体部１のＩ／Ｏインタフェース部１０からの制御信号を通信インタフェース部５０を介して受け取って、ＤＶＤチェンジャ・プレーヤ４０の各種構成部を制御したり、通信インタフェース部５０を介して各種データを転送したりするためのコンピュータ本体である。そして、ＤＶＤ制御部４９が本体部１から受け取った所定の制御信号に従って搬送装置４４を駆動制御し、内部プレーヤ（４５、４６）に装填されているＤＶＤ４３ｂをＤＶＤ収納部４２の所定のトレイに戻させるとともに、待避トレイ４８に収納されていた利用者ディスク４３ｃが該当の内部プレーヤ４６に装填させてこれを駆動させる。
【００２４】
内部プレーヤ（４５、４６）が搭載するＭＰＥＧ２デコーダは、ＤＶＤ−Ｖｉｄｅｏ規格が定めるＭＰＥＧ２形式の映像データや所定のフォーマットで符号化された音声データ、あるいはサブピクチャデータ（字幕など）の多重データを分離・復号する。そして、復号した映像データとサブピクチャデータについては、動画映像に字幕などをスーパーインポーズしたＮＴＳＣ規格の映像信号として出力し、音声データについては光信号に変換したデジタル音声信号を出力することとしている。なお、ＭＰＥＧ２デコーダは、ビデオＣＤに記録されているＭＰＥＧ１規格の映像データや音声データの復号処理も行える。また、内部プレーヤは音楽ＣＤを駆動して読み取ったＰＣＭ音声データを出力することもできるようになっている。
【００２５】
２系統の内部プレーヤ（４５、４６）から出力される映像信号や音声信号はセレクタ５１に入力される。ＤＶＤ制御部４９はセレクタ５１を制御して一方の系統からの信号を出力させる。それによって、ＤＶＤチェンジャ・プレーヤ４０からは、カラオケモード実行時には２系統の内部プレーヤ（４５、４６）からの出力信号が交互に切替ながら出力され、シアターモード実行時には利用者ディスク４３ｃを駆動する内部プレーヤ４６からの出力信号が出力される。
【００２６】
ＤＶＤチェンジャ・プレーヤ４０から出力された映像信号は本体部１の映像制御部１１に入力される。中央制御部２はシアター機能の起動時やカラオケソフトの再生時には、ＤＶＤチェンジャプレーヤ４０から映像制御部１１に入力された映像信号をそのままディスプレイ３２に出力させる。一方、光デジタル音声信号は、ミキシングアンプ２０の光デジタル音声入力端子に入力される。ミキシングアンプ２０には、この光デジタル音声入力端子と、シンセサイザからのアナログ音声信号を入力するためのアナログ音声入力端子とを備え、双方の端子に信号入力がある場合は、光デジタル音声信号を優先的に処理することとしている。
【００２７】
＜ミキシングアンプ＞
ＤＶＤ−Ｖｉｄｅｏ規格は、音声データ形式として、非圧縮のＰＣＭ音声データの他に、ドルビー・デジタル（登録商標）方式やＤＴＳ（登録商標）方式による圧縮・符号化音声データなどを規定している。さらに、この音声データとして複数の言語に対応する複数の音声データストリームが多重記録され、一つの音声データストリームに前方左右、前方中央、後方左右の５チャンネルに低音成分の１チャンネルを加えて最大で６チャンネル分（通常は、低音成分を０．１チャンネルと数えて５．１チャンネル分）のデジタル音声データが記録されている。そして、多くのパッケージソフトにはこの５．１チャンネル音声データが記録されている。
【００２８】
そこで本実施例のカラオケ装置におけるミキシングアンプ２０は、ＤＶＤチェンジャ・プレーヤ４０が出力する光デジタル音声信号を入力してその符号化方式に従って復号し、入力信号が含むチャンネル数分のアナログ音声信号に再生する回路（以下、音声デコーダ）と、復号した最大５．１チャンネル分の音声信号を所定のスピーカで音響出力するための５系統のスピーカ出力端子と、１系統の低音成分用の音声信号出力端子とを備えている。
【００２９】
本実施例において、ディスプレイ３２の左右に前方左右音声用、ディスプレイ３２の直上あるいは直下に前方中央音声用、前方左右スピーカに対向して後方左右音声用の各スピーカが配設されている。また、音声出力端子に接続されるアンプ内蔵型のサブ・ウーファは定位のない低音成分のみを出力するのでカラオケルーム内の適当な場所に配置すればよい。もちろん、音の方向性さえ合っていれば、各スピーカ出力系統ごとに１つのスピーカを割り当てる必要はなく、１つの系統に複数のスピーカを並列に接続することとしてもよい。
【００３０】
また、ＤＶＤ−Ｖｉｄｅｏに記録されている音声データが左右２チャンネルである場合やビデオＣＤや音楽ＣＤを再生する場合は、カラオケ伴奏音楽の演奏時と同様にして左右チャンネルの各音声信号や左右チャンネルを混合した音声信号などを適宜な出力端子から出力することとしている。
【００３１】
＝＝＝ソフトウエア＝＝＝
上述したように、本発明のカラオケ装置は快適な操作環境と明瞭な料金提示も行える機能を備えていることが必要となる。すなわち、カラオケ機能を使用するときとシアター機能を使用するときとでその操作環境が大きく異なっていては、せっかくのシアター機能も利用する気にはなれない。また、時間単位で利用料金が設定されているカラオケ施設などでは２時間近くある映画を鑑賞するとその分利用料金が嵩むことになる。そのため、誤操作などによって無駄な料金が徴収されてしまうのを確実に防止する機能や、あらかじめシアター機能を利用したら幾ら掛かるのかを明示し、さらに利用者の了解を得てからシアターモードを起動させるようなユーザインタフェース環境が必要となる。
【００３２】
＜シアター機能の起動＞
利用者がシアター機能を使用するには、まず、用意した利用者ディスク４３ｃをディスクスロット４７に装着する。中央制御部２はこの装着操作がなされた旨をＤＶＤチェンジャ・プレーヤ４０より受け取ると、そのとき演奏中のカラオケ楽曲が演奏終了を待って、シアター機能の起動プロセスを実行させる。カラオケ楽曲が演奏中でないときは利用者ディスク４３ｃが装着され次第シアター機能の起動プロセスを実行する。
【００３３】
シアター機能の起動プロセスとしては、まず、中央制御部２がＤＶＤチェンジャ・プレーヤ４０を制御して内部プレーヤ（４５、４６）に装着されているＤＶＤをＤＶＤ収納部４２の所定のトレイに戻させる。この動作に伴って、待避トレイ４８にある利用者ディスク４３ｃが該当の内部プレーヤに装填される。内部プレーヤ４６は、利用者ディスク４３ｃが装填されると、このディスク４３ｃの種類（ＤＶＤ−Ｖｉｄｅｏ、音楽ＣＤなど）を判別するとともに、このディスク４３ｃに記録されているＴＯＣ（Table Of Contents）を読み出す。
【００３４】
中央制御部２がこの判別したディスクの種類とＴＯＣの内容（収録時間や収録字幕および収録音声の種類など）とを目次データとして受け取ると、その目次データと所定の料金体系（ディスクの種別や時間単位など）とに基づいて利用者ディスク４３ｃの再生に要する料金（時間貸しのカラオケ施設であれば、コンテンツの収録時間に時間単位の施設利用料金を乗算した料金）を計算する。そして、目次データと料金などとともにこの利用者ディスク４３ｃの再生を許可するか否かの問い合わせを含んだ目次画面データを生成する。この目次画面データをビデオＲＡＭ９にビットマップ展開すると目次画面がディスプレイ３２に出力される。図３（Ａ）（Ｂ）は、その目次画面の一例を示している。（Ａ）は利用者ディスクがＤＶＤ−Ｖｉｄｅｏである場合であり、（Ｂ）は音楽ＣＤである場合をそれぞれ示している。
【００３５】
利用者が目次画面に従って利用者ディスク４３ｃの再生方法（ＤＶＤ−Ｖｉｄｅｏであれば音声や字幕の言語選択など、音楽ＣＤであれば選曲など）を指定してディスク４３ｃの再生処理を許可する旨の操作入力を行うと、中央制御部２はモードをカラオケモードからシアターモードに切り替える。そして、利用者が指定した方法でディスク４３ｃが再生されるようにＤＶＤチェンジャ・プレーヤ４０に所定の制御信号を送出する。なお、本実施例では、シアターモードに切り替えるとそれ以前に予約されていたカラオケ楽曲の演奏処理をすべてキャンセルすることとしている。もちろん、利用者がディスク４３ｃのコンテンツを鑑賞し終えた後に、予約していたカラオケ楽曲を演奏するか否かを選択できるようにしてもよい。
【００３６】
＜シアターモードにおける操作環境＞
リモコン送信器５や操作パネル６などのユーザインタフェースは、シアターモード実行時には、利用者ディスク４３ｃの再生一時停止やその解除、あるいはチャプター（トラック）サーチなどの再生操作を可能とするシアターモード操作用ユーザインタフェースとなる。したがって、カラオケ装置は同じキー操作に対しても実行中のモードに応じて異なる動作をする。本実施例では、リモコン信号などに対応する制御コードと中央制御部２が実行すべき処理とを対応づけたテーブルがカラオケモード用とシアターモード用とで個別に用意されており、操作制御部７がユーザインタフェースから送信される信号に応じて所定の制御コードを中央制御部２に転送すると、中央制御部２は実行中のモードに応じて適宜なテーブルを参照して所定の処理を行う。
【００３７】
もちろん、ユーザインタフェース側にキー操作と制御コードとを対応付けしたテーブルを各モード用に２つ用意するとともに、参照されるテーブルを切り替えるための専用のキーやスイッチを設けることとしてもよい。この場合は、同じキーが押されても異なる制御コードが送出されることになる。
【００３８】
＝＝＝その他の実施例など＝＝＝
上記実施例のカラオケ装置では、利用者ディスクとしてＤＶＤ−Ｖｉｄｅｏや音楽ＣＤなど、光ディスクを使ったパッケージソフト全般の再生が可能となっているが、再生できるディスクをＤＶＤ−Ｖｉｄｅｏのみとするなど所定の媒体に限定してもよい。この場合、所定のディスク以外をディスクスロットに装填すると、自動的にディスクが吐き出されたり、ディスクの取り出しを指示する旨を表示するなどすれば、ディスクの誤装着が防止できる。
【００３９】
あらかじめ内容がわかっていない映画を鑑賞する場合やカラオケ施設の利用時間が超過してしまう場合などに対応して、ディスクの再生処理中でも利用者の操作に従ってシアターモードを解除できるようにすることも可能である。そして、シアターモードの起動開始から解除までの時間に従ってシアター機能の利用料金を精算すればよい。また、解除とともに、カラオケモードに復帰させたり、シアターモードの起動に伴ってキャンセルされた予約楽曲を再び予約状態に復帰させることとしてもよい。
【００４０】
上記実施例では、利用者ディスクを装着した時点で演奏中のカラオケ楽曲が終了すると、シアターモードの起動処理を開始することとしている。しかし、楽曲の演奏予約をするときと同様の手順に従って利用者ディスクの再生を指示できるようにすればカラオケ機能とシアター機能との混在利用がより容易となる。例えば、楽曲番号と同様にシアター機能を起動させるための「シアターモード起動番号」を目次本などに記載しておき、リモコン送信器などからこのシアター機能起動番号の入力に従ってカラオケ楽曲の演奏予約とシアター機能の起動予約とが混在して予約登録されるようにすればよい。
【００４１】
【発明の効果】
本発明のカラオケ装置によれば、利用者が用意したＤＶＤ−Ｖｉｄｅｏなどの光デイスクを再生することができる。したがって、カラオケ施設の防音設備やオーディオ機器がカラオケ以外の用途に活用できる。そのため、一般家庭では騒音等の問題から十分に堪能できなかった大音響での映画鑑賞などが可能となる。カラオケ施設側にとっては、カラオケ目的以外の利用者増が見込まれ、収益増が期待できる。
【００４２】
また、ユーザインタフェースがカラオケ楽曲の演奏予約とともにシアターモードの起動予約を受け付けることで、カラオケ利用時と同様の操作でシアター機能の実行予約登録ができる。そのため、従来のカラオケ利用者はカラオケ楽曲の演奏予約と同様の手順で、シアターモードを実行させることができる。また、一度のカラオケ施設利用機会でカラオケとシアター機能の２つの娯楽を楽しむことができる。
【００４３】
一つのユーザインタフェースでカラオケの演奏操作と光ディスクの再生操作とを兼用させることで、シアター機能専用のリモコン送信器など余分なユーザインタフェースを付帯させる必要が無くなる。そのため、利用者はモードによってユーザインタフェースを取り替えることがない。また、リモコン送信器などのユーザインタフェース機器を間違えることも無くなる。もちろん、ユーザインタフェースの増設に伴うカラオケ装置自体のコスト増もない。
【００４４】
シアターモードの実行に対して所定の料金体系が適用される場合、その前記料金体系に基づいて計算した料金を含んだ前記目次画面データを作成表示することができる。それによって、利用者に対して明瞭な料金説明が行え、利用者も納得した上でシアター機能が利用できる。
【図面の簡単な説明】
【図１】従来および本発明のカラオケ装置における実施例の基本構成図である。
【図２】本発明のカラオケ装置における実施例におけるＤＶＤチェンジャ・プレーヤの構成図である。
【図３】本発明のカラオケ装置の実施例において、ディスプレイに表示される目次画面の一例である。（Ａ）は利用者ディスクがＤＶＤ−Ｖｉｄｅｏである場合であり、（Ｂ）は利用者ディスクが音楽ＣＤである場合である。
【符号の説明】
１  本体部
２  中央制御部
５  リモコン送信器
６  操作パネル
８  シンセサイザ
１１  映像制御部
２０  ミキシングアンプ
３１  スピーカ
３２  ディスプレイ
４０  ＤＶＤチェンジャ・プレーヤ
４３ａ〜４３ｃ  光ディスク
４５、４６  内部プレーヤ
【図１】
0004152554.tif 000002
【図２】
0004152554.tif 000003
【図３】
0004152554.tif 000004